(57)【要約】【課題】  光検出器のＸＹポジション調整を容易に行うことが出来る光ピックアップ装置を提供する。【解決手段】  信号記録層から反射される戻り光の中のメインビームが照射されるメインビーム用受光部１０Ｍ及びサブビームが照射されるサブビーム用受光部が設けられている光検出器を備え、前記メインビーム用受光部１０Ｍを光ディスクのトラッキング方向に対応する光検出器の方向をＸ軸、該Ｘ軸に対して直角方向をＹ軸としたとき、Ｘ軸方向及びＹ軸方向に夫々共通の分割線にて分割された内側４分割受光部１０１Ｍと外側４分割受光部１０２Ｍより成る８つの受光部にて構成したことを特徴とする。【選択図】  図１
2011129194.tif 000002
【特許請求の範囲】
【請求項１】
回折格子によってメインビームと２つのサブビームに分離されたレーザー光を光ディスクに設けられている信号記録層に集光させる対物レンズと、前記信号記録層から反射される戻り光の中のメインビームが照射されるメインビーム用受光部及びサブビームが照射されるサブビーム用受光部が設けられている光検出器を備えた光ピックアップ装置であり、前記メインビーム用受光部を光ディスクのトラッキング方向に対応する光検出器の方向をＸ軸、該Ｘ軸に対して直角方向をＹ軸としたとき、Ｘ軸方向及びＹ軸方向に夫々共通の分割線にて分割された内側４分割受光部と外側４分割受光部より成る８つの受光部にて構成したことを特徴とする光ピックアップ装置。
【請求項２】
８つの受光部から非点収差法によるフォーカス制御動作に使用するフォーカスエラー信号を生成するとともに内側４分割受光部から差動プッシュプル法によるトラッキング制御動作に使用するトラッキングエラー信号を生成するようにしたことを特徴とする請求項１に記載の光ピックアップ装置。
【請求項３】
内側４分割受光部のＸ軸方向の幅及びＹ軸方向の幅を受光レーザー光のスポット径と同一になるようにしたことを特徴とする請求項１に記載の光ピックアップ装置。
【請求項４】
スポット径としてレーザー光の最大強度に対して１／ｅ２(ｅは自然対数の底)となるレーザー光を使用するようにしたことを特徴とする請求項３に記載の光ピックアップ装置。
【請求項５】
内側４分割受光部を構成する全ての受光部から得られる信号を加算し、その加算信号のレベルが最大になるように光検出器の位置を調整するようにしたことを特徴とする請求項３に記載の光ピックアップ装置。
【請求項６】
サブビーム用受光部より得られる信号によって光検出器の回転位置を調整するようにしたことを特徴とする請求項５に記載の光ピックアップ装置。
【発明の詳細な説明】
【技術分野】
【０００１】
本発明は、光ディスクに記録されている信号の読み出し動作や光ディスクに信号の記録動作を行う光ピックアップ装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
光ディスク装置としては、ＣＤやＤＶＤと呼ばれる光ディスクを使用するものが一般に普及しているが、最近では斯かるＣＤ規格及びＤＶＤ規格の光ディスクに加えてＢｌｕ−ｒａｙ規格の光ディスクが普及している。斯かるＢｌｕ−ｒａｙ規格の光ディスクに記録されている信号の読み出し動作を行うレーザー光としては、波長が短いレーザー光、例えば波長が４０５ｎｍの青紫色光が使用されている。
【０００４】
図２は例えばＢｌｕ−ｒａｙ規格の光ディスクＤに設けられている信号記録層Ｌに記録されている信号の読み出し動作を行う光ピックアップ装置を構成する光学系を示す概略図であり、同図を利用して光ピックアップ装置の構成について説明する。
【０００５】
図２において、１は波長が４０５ｎｍの青紫色光であるレーザー光を放射するレーザーダイオード、２は前記レーザーダイオード１から放射されたレーザー光が入射される位置に設けられている回折格子であり、０次回折光であるメインビームと±１次回折光であるサブビームとを分離生成する作用を成すものである。３は前記回折格子２を透過したレーザー光が入射される１／２波長板であり、前記レーザーダイオード１から放射されるレーザー光の偏光方向をＳ方向又はＰ方向の直線偏光光に調整する作用を成すものである。
【０００６】
４は前記回折格子２及び１／２波長板３を透過したレーザー光が入射される位置に設けられているハーフミラーであり、光ディスクＤ方向へレーザー光を反射させるとともに該光ディスクＤの信号記録層Ｌから反射された戻り光を透過させる制御膜が形成されている。５は前記ハーフミラー４にて反射されたレーザー光が入射される位置に設けられているコリメートレンズであり、入射されるレーザー光を平行光に変換する作用を成すものである。
【０００７】
６は前記コリメートレンズ５にて平行光に変換されたレーザー光が入射されるとともに該レーザー光を反射させる立ち上げミラーであり、光軸の方向を図示したように９０度変更するようにされている。７は前記立ち上げミラー６によって反射されたレーザー光が入射される位置に設けられている１／４波長板であり、前記立ち上げミラー６側から入射されるレーザー光を直線偏光光から円偏光光へ、また反対側から入射されるレーザー光である戻り光を円偏光光から直線偏光光に偏光する作用を成すものである。
【０００８】
８は前記１／４波長板７を透過したレーザー光が照射される位置に設けられている対物レンズであり、光ディスクＤに設けられている信号記録層Ｌにレーザー光を集光させて読み出し動作や記録動作を行うために適した形状のスポットを生成させる作用を成すものである。前記対物レンズ８によって光ディスクＤに設けられている信号記録層Ｌに集光されたレーザー光は、該信号記録層Ｌにて反射されて戻り光として該対物レンズ８に光ディスクＤ側から入射される。
【０００９】
前記対物レンズ８に入射された戻り光は、該対物レンズ８を透過した後１／４波長板７に入射され、該１／４波長板７によって円偏光光から直線偏光光に変換される。このようにして偏光された戻り光は、立ち上げミラー６にて反射された後コリメートレンズ５に入射される。
【００１０】
前記コリメートレンズ５に入射された戻り光は、該コリメートレンズ５を透過してハーフミラー４に入射されるが、このようにしてハーフミラー４に入射される戻り光は、前記１／４波長板７に対する往復透過動作によって直線偏光光の偏光方向が反転されているので、該ハーフミラー４に設けられている制御膜にて反射されることはなく、該制御膜を透過することになる。
【００１１】
前記ハーフミラー４は、透過する戻り光に対してフォーカス制御動作を行うためのフォーカスエラー信号を生成するために非点収差を付加する作用を有するものであるが、その特性からＡＳ収差やコマ収差と呼ばれる収差が発生するという問題がある。９は前記ハーフミラー４を透過した戻り光が入射される位置に設けられているアナモフィックレンズであり、該ハーフミラー４にて生成される非点収差をフォーカスエラー信号の生成動作を行うために適した大きさになるように拡大する作用を成すとともにハーフミラー４にて発生するＡＳ収差やコマ収差を補正する作用を成すように構成されている。
【００１２】
１０は前記アナモフィックレンズ９を透過した戻り光が照射される位置に設けられている光検出器であり、照射されて生成されるスポット形状の変化やスポット位置の変位を利用することによってフォーカスエラー信号やトラッキングエラー信号を生成するように構成されている。
【００１３】
以上に説明したように光ディスクＤに記録されている信号の読み出し動作を行う光ピックアップ装置の光学系は構成されているが、次にトラッキングエラー信号及びフォーカスエラー信号の生成動作について図３を参照して説明する。
【００１４】
前記光検出器１０に組み込まれている受光部には、例えば、図３に示すように戻り光の中のメインビームＭが照射される４分割受光部であるメインビーム用受光部１０ａと、サブビームＳ１及びＳ２が各々照射される２分割受光部であるサブビーム用受光部１０ｂ及び１０ｃが設けられている。そして、前記メインビーム用受光部１０ａは、例えば図示したようにトラッキング方向であるＸ軸方向及びＸ軸に対して直角方向であるＹ軸方向に夫々均等に２分割された４つの受光部Ａ、Ｂ、Ｃ及びＤにて構成され、サブビーム用受光部１０ｂ及び１０ｃは、各々Ｘ軸方向に均等に２分割された２つの受光部Ｅ、Ｆ及び受光部Ｇ、Ｈにて構成されている。
【００１５】
斯かる構成において、光ディスクＤに設けられている信号記録層Ｌに形成されている信号トラックに対してレーザー光のスポット位置が光ディスクＤの径方向にずれると、即ちトラッキングにずれが生じると、メインビーム用受光部１０ａ及びサブビーム用受光部１０ｂ、１０ｃ上に照射生成されるメインビームＭの位置、サブビームＳ１及びＳ２の位置が矢印Ａ又はＢ方向に変位することになり、その結果、各受光部に対する受光量が変化することになる。
【００１６】
図３に示した回路図は、差動プッシュプル法と呼ばれるトラッキング制御動作を行うためのものである。同図において、１１はメインビームＭが照射されるメインビーム用受光部１０ａを構成する受光部Ａ及びＤから得られる信号を加算する第１加算器、１２は同じく受光部Ｂ及びＣから得られる信号を加算する第２加算器、１３は前記第１加算器１１の出力信号から第２加算器１２から得られる出力信号を減算する第１差動器、１４はサブビームＳ１が照射されるサブビーム用受光部１０ｂを構成する受光部Ｅから得られる信号か
ら受光部Ｆから得られる信号を減算する第２差動器、１５はサブビームＳ２が照射されるサブビーム用受光部１０ｃを構成する受光部Ｇから得られる信号から受光部Ｈから得られる信号を減算する第３差動器である。
【００１７】
１６は前記第２差動器１４の出力信号と第３差動器１５の出力信号とを加算する第３加算器、１７は前記第３加算器１６の出力信号をＫ倍(Ｋはメインビームの光量とサブビームの光量との光量比に基づいて設定される。)の信号に増幅する増幅回路、１８は前記第１差動器１３の出力信号から前記増幅回路１７の出力信号を減算する第４差動器であり、その出力信号がトラッキングエラー信号として出力端子１９に出力される。
【００１８】
前述した各受光部Ａ、Ｂ、Ｃ、Ｄ、Ｅ、Ｆ、Ｇ及びＨから得られる信号をＡ、Ｂ、Ｃ、Ｄ、Ｅ、Ｆ、Ｇ及びＨとし、トラッキングエラー信号をＴＥとすると、該トラッキングエラー信号ＴＥは、
ＴＥ＝（Ａ＋Ｄ）−（Ｂ＋Ｃ）−Ｋ｛（Ｅ−Ｆ）＋（Ｇ−Ｈ）｝
から算出されるが、斯かるトラッキングエラー信号ＴＥは、図３に示した回路の出力端子１９より得ることが出来る。斯かる差動プッシュプル法によるトラッキング制御動作を行う光ピックアップ装置に関する技術は特許文献１に記載されている。
【００１９】
トラッキング制御動作に使用されるトラッキングエラー信号ＴＥの生成動作は以上に説明したように行われるが、次に非点収差法と呼ばれるフォーカス制御動作に使用されるフォーカスエラー信号ＦＥの生成動作について説明する。
【００２０】
図３に示した回路において、２０は前記メインビーム用受光部１０ａ部を構成する受光部Ａ及びＣより得られる信号を加算する第４加算器、２１は前記メインビーム用受光部１０ａ部を構成する受光部Ｂ及びＤより得られる信号を加算する第５加算器、２２は前記第４加算器２０の出力信号から前記第５加算器２１の出力信号を減算する第５差動器であり、その出力信号がフォーカスエラー信号として出力端子２３に出力される。
【００２１】
フォーカスエラー信号ＦＥは、周知のようにＦＥ＝（Ａ＋Ｃ）−（Ｂ＋Ｄ）と表されるが、これは対物レンズ８のフォーカス方向への変位に伴って発生する非点収差に基づいてメインビームＭの形状が楕円から円形へ、また円形から楕円へと変化する特性を利用することによって得られるものである。斯かるフォーカスエラー信号ＦＥを使用するフォーカス制御動作を行う光ピックアップ装置に関する技術は特許文献２に記載されている。
【先行技術文献】
【特許文献】
【００２２】
【特許文献１】特開平８−３３９５５６号公報
【特許文献２】特開２００６−７９７９７号公報
【発明の概要】
【発明が解決しようとする課題】
【００２３】
光ピックアップ装置の組み立て時に光検出器１０の固定位置の調整動作、即ちＸＹポジション調整と呼ばれる調整動作が行われるが、斯かる調整動作は図３に示すようにメインビームＭがメインビーム用受光部１０ａ部の中央部に位置するように行われる。
【００２４】
前述したＸＹポジション調整動作は、光検出器１０のメインビーム用受光部１０ａ部を構成する受光部Ａ、Ｂ、Ｃ及びＤから得られる信号をＡ、Ｂ、Ｃ、Ｄとしたとき、Ａ＋Ｄ＝Ｂ＋Ｃになるように調整することによってＸ軸方向の位置調整を行い、Ａ＋Ｂ＝Ｃ＋Ｄになるように調整することによってＹ軸方向の位置調整を行うように構成されている。
【００２５】
前述したＸＹポジションの調整動作はＸ軸方向の調整を行った後にＹ軸方向の調整動作を行うようにしているので、光検出器１０の位置変位動作が直角方向に異なる２方向に対して行われことになる。従って、調整位置が微妙に変化することになり、正確な位置調整を行うためには熟練した技術が要求されるという問題がある。
【００２６】
本発明は、前述した問題を解決することが出来る光ピックアップ装置を提供しようとするものである。
【課題を解決するための手段】
【００２７】
本発明は、回折格子によってメインビームと２つのサブビームに分離されたレーザー光を光ディスクに設けられている信号記録層に集光させる対物レンズと、前記信号記録層から反射される戻り光の中のメインビームが照射されるメインビーム用受光部及びサブビームが照射されるサブビーム用受光部が設けられている光検出器を備え、前記メインビーム用受光部を光ディスクのトラッキング方向に対応する光検出器の方向をＸ軸、該Ｘ軸に対して直角方向をＹ軸としたとき、Ｘ軸方向及びＹ軸方向に夫々共通の分割線にて分割された内側４分割受光部と外側４分割受光部より成る８つの受光部にて構成したことを特徴とするものである。
【００２８】
また、本発明は、８つの受光部から非点収差法によるフォーカス制御動作に使用するフォーカスエラー信号を生成するとともに内側４分割受光部から差動プッシュプル法によるトラッキング制御動作に使用するトラッキングエラー信号を生成するようにしたことを特徴とするものである。
【００２９】
そして、本発明は、内側４分割受光部のＸ軸方向の幅及びＹ軸方向の幅を受光レーザー光のスポット径と同一になるようにしたことを特徴とするものである。
【００３０】
また、本発明は、スポット径としてレーザー光の最大強度に対して１／ｅ２(ｅは自然対数の底)となるレーザー光を使用するようにしたことを特徴とするものである。
【００３１】
そして、本発明は、内側４分割受光部を構成する全ての受光部から得られる信号を加算し、その加算信号のレベルが最大になるように光検出器の位置を調整するようにしたことを特徴とするものである。
【００３２】
更に、本発明は、サブビーム用受光部より得られる信号によって光検出器の回転位置を調整するようにしたことを特徴とするものである。
【発明の効果】
【００３３】
本発明は、信号記録層から反射される戻り光の中のメインビームが照射されるメインビーム用受光部及びサブビームが照射されるサブビーム用受光部が設けられている光検出器を備え、前記メインビーム用受光部を光ディスクのトラッキング方向に対応する光検出器の方向をＸ軸、該Ｘ軸に対して直角方向をＹ軸としたとき、Ｘ軸方向及びＹ軸方向に夫々共通の分割線にて分割された内側４分割受光部と外側４分割受光部より成る８つの受光部にて構成し、内側４分割受光部を利用して光検出器の位置調整を行うことが出来るようにしたので、光検出器のＸＹポジション調整を簡単に行うことが出来る。
【図面の簡単な説明】
【００３４】
【図１】本発明に係る光ピックアップ装置の一実施例を示すブロック回路図である。
【図２】本発明に係る光ピックアップ装置を構成する概略図である。
【図３】光ピックアップ装置の各種制御信号を生成するブロック回路図である。
【図４】レーザー光の強度分布を説明するための特性図である。
【図５】光検出器の受光部の大きさと検出信号比との関係を説明するための特性図である。
【発明を実施するための形態】
【００３５】
非点収差法によるフォーカス制御動作を行うためのフォーカスエラー信号等を生成するとともに差動プッシュプル方式によるトラッキング制御動作を行うためのトラッキングエラー信号を生成するために設けられている光検出器に関し、特にメインビームが照射されるメインビーム用受光部に内側４分割受光部と外側４分割受光部より成る８つの受光部を設け、内側４分割受光部を利用して光検出器のＸＹポジション調整を行うことが出来るように構成された光ピックアップ装置である。
【実施例１】
【００３６】
図１は本発明に係る光ピックアップ装置の一実施例を示すブロック回路図であり、図３に示した回路要素と同一の回路要素には同一の番号を付している。
【００３７】
本発明の光ピックアップ装置に設けられている光検出器１０に組み込まれているとともにメインビームＭを受光するべく設けられているメインビーム用受光部１０Ｍは、図１に示すようにＸ軸方向の共通の分割線及びＹ軸方向の共通の分割線にて分割された受光部ａ、ｂ、ｃ、ｄにて構成される内側４分割受光部１０１Ｍと受光部Ａ、Ｂ、Ｃ、Ｄにて構成される外側４分割受光部１０２Ｍにて構成されている。
【００３８】
斯様に構成されたメインビーム用受光部１０Ｍにおいて、内側４分割受光部１０１Ｍを構成する受光部ａ及びｄより得られる信号は、第１加算器１１に入力され、受光部ｂ及びｃより得られる信号は、第２加算器１２に入力されるように構成されている。
【００３９】
２４は内側４分割受光部１０１Ｍを構成する受光部ａから得られる信号と外側４分割受光部１０２Ｍを構成する受光部Ａから得られる信号とを加算する第１信号加算器であり、その出力信号は第４加算器２０の一方の入力端子に入力されるように構成されている。
【００４０】
２５は内側４分割受光部１０１Ｍを構成する受光部ｂから得られる信号と外側４分割受光部１０２Ｍを構成する受光部Ｂから得られる信号とを加算する第２信号加算器であり、その出力信号は第５加算器２１の一方の入力端子に入力されるように構成されている。
【００４１】
２６は内側４分割受光部１０１Ｍを構成する受光部ｃから得られる信号と外側４分割受光部１０２Ｍを構成する受光部Ｃから得られる信号とを加算する第３信号加算器であり、その出力信号は第４加算器２０の一方の入力端子に入力されるように構成されている。
【００４２】
２７は内側４分割受光部１０１Ｍを構成する受光部ｄから得られる信号と外側４分割受光部１０２Ｍを構成する受光部Ｄから得られる信号とを加算する第４信号加算器であり、その出力信号は第５加算器２１の一方の入力端子に入力されるように構成されている。
【００４３】
２８は前記第１加算器１１の出力信号と第２加算器１２の出力信号とを加算する調整用加算器であり、その出力信号を利用して光検出器１０のＸＹポジションの調整を行うように構成されている。
【００４４】
斯かる構成において、前述した各受光部ａ、ｂ、ｃ、ｄ、Ｅ、Ｆ、Ｇ及びＨから得られる信号をａ、ｂ、ｃ、ｄ、Ｅ、Ｆ、Ｇ及びＨとし、トラッキングエラー信号をＴＥとすると、該トラッキングエラー信号ＴＥは、
ＴＥ＝（ａ＋ｄ）−（ｂ＋ｃ）−Ｋ｛（Ｅ−Ｆ）＋（Ｇ−Ｈ）｝
から算出される。(但し、Ｋは内側４分割受光部１０１Ｍの受光レベルとサブビーム用受
光部１０ｂ、１０ｃの受光レベルの比に基づいて設定される。)
前述したように図１に示す本発明に係る光検出器１０によれば差動プッシュプル法によるトラッキング制御動作に使用されるトラッキングエラー信号を生成することが出来るので、斯かるトラッキングエラー信号を利用することによって光ピックアップ装置におけるトラッキング制御動作を行うことが出来る。
【００４５】
次に非点収差法によるフォーカス制御動作を行うために使用されるフォーカスエラー信号について説明する。前述した構成のメインビーム用受光部１０Ｍを構成する内側４分割受光部１０１Ｍの受光部ａ、ｂ、ｃ、ｄ及び外側４分割受光部１０２Ｍの受光部Ａ、Ｂ、Ｃ、Ｄから得られる信号をａ、ｂ、ｃ、ｄ、Ａ、Ｂ、Ｃ及びＤとし、フォーカスエラー信号をＦＥとすると、フォーカスエラー信号ＦＥは、
ＦＥ＝（ａ＋Ａ＋ｃ＋Ｃ）−（ｂ＋Ｂ＋ｄ＋Ｄ）
から算出される。
【００４６】
前述したように図１に示す本発明に係る光検出器１０によれば非点収差法によるフォーカス制御動作に使用されるフォーカスエラー信号を生成することが出来るので、斯かるフォーカスエラー信号を利用することによって光ピックアップ装置におけるフォーカス制御動作を行うことが出来る。
【００４７】
以上に説明したように図１に示した本発明に係るメインビーム用受光部１０Ｍは構成されているとともに差動プッシュプル法によるトラッキング制御動作に使用されるトラッキングエラー信号の生成動作及び非点収差法によるフォーカス制御動作に使用されるフォーカスエラー信号の生成動作は行われるが、次にメインビームＭのスポット径と内側４分割受光部１０１Ｍの大きさとの関係について、図４及び図５を参照にして説明する。
【００４８】
レーザーダイオード１から放射されるレーザー光は、ガウシアンと呼ばれる特性を有しており、図４は斯かるガウシアン特性を有するレーザー光の強度分布特性を示すものである。また、光ピックアップ装置においては、対物レンズ８等の光学系に使用されるレンズの開口数や光ディスクＤに記録されている信号の読み出し動作を行うために必要なレーザー強度及び光ディスクＤに信号を記録するために必要なレーザー強度のレーザー光を得るためにスポットとして使用する径を設定するようにされている。
【００４９】
使用するスポットの径は図４に示す特性図において必要なレーザー強度が得られる範囲にて設定される。例えば、レーザー光の最大強度を１．０としたとき、０．５、即ち強度が最大強度に対して半分となる５０％強度の位置、所謂半値幅と呼ばれる位置よりも強度が高いレーザー光の部分をスポットとして利用するようにスポット径を設定したり、０．１３５、即ち強度が最大強度に対して１／ｅ２(ｅは自然対数の底)となる１３．５％強度の位置よりも強度が高いレーザー光の部分をスポットとして利用するようにスポット径を設定することが行われている。
【００５０】
前述したようにレーザー強度分布に基づいてスポット径の設定が行われるが、スポットとして使用するレーザー光の強度範囲はスポットのサイズ、スポットのピーク光強度及びスポットの全パワーの中でどの値を優先させるかによって決定されている。
【００５１】
そして、現在の光ピックアップ装置では、レーザー光の強度分布に基づいて設定されるスポット径は、レーザー光のパワーロスを考慮して設定されており、一般には強度が最大強度に対して１／ｅ２となる１３．５％強度の位置よりも強度が高いレーザー光の部分をスポットとして利用するように設定されている。このようにしてレーザー光のスポット径を設定すれば、多くの光ピックアップ装置の読み出し特性や記録特性を満足させるスポット径を得ることが出来る。
【００５２】
本発明の光ピックアップ装置は、光検出器１０に組み込まれているメインビーム用受光部１０Ｍに戻り光として照射されるメインビームＭのスポット径と内側４分割受光部１０１ＭのＸ軸方向及びＹ軸方向の幅とが同一になるように構成されている。
【００５３】
図５はレーザー光の戻り光であるメインビームＭのスポット径が５０μｍの場合において、内側４分割受光部１０１ＭのＸ軸方向及びＹ軸方向の幅である大きさと該内側４分割受光部１０１Ｍの大きさに応じて得られる差動プッシュプル信号である検出信号の振幅比との関係を示すものである。尚、図１に示した実施例において、外側４分割受光部１０２ＭのＸ軸方向及びＹ軸方向の幅は９０μｍである。
【００５４】
同図に示すように内側４分割受光部１０１ＭのＸ軸方向及びＹ軸方向の幅が５０μｍ、即ちメインビームＭのスポット径である５０μｍと同一の場合に検出信号の振幅比は０．８５となるが、トラッキング制御動作を支障なく行うことが出来る差動プッシュプル信号であることが確認出来た。
【００５５】
従って、最大強度に対して１／ｅ２となる１３．５％強度の位置よりも強度が高いレーザー光の部分をスポットとして利用するように設定した場合にそのメインビームＭのスポット径と内側４分割受光部１０１ＭのＸ軸方向及びＹ軸方向の幅を同一にしても差動プッシュプル法によるトラッキング制御動作を行うことが出来る。
【００５６】
このように内側４分割受光部１０１ＭのＸ軸方向及びＹ軸方向の幅をメインビームＭの径と同一にすると、図１に示すようにメインビームＭの位置が内側４分割受光部１０１Ｍの中央に位置しているとき、該内側４分割受光部１０１Ｍを構成する受光部ａ、ｂ、ｃ、ｄより得られる各信号を合算した値が最大になる。即ち、斯かる受光部ａ、ｂ、ｃ、ｄより得られる各信号を合算した信号は、図１に示す調整用加算器２８から出力されることになるので、この出力信号のレベルが最大になるように光検出器１０の位置を調整することによって該光検出器１０の位置調整を行うことが出来る。
【００５７】
光検出器１０を光ピックアップ装置を構成する基台に形成されている固定位置に接着固定する場合に行われる位置調整、即ちＸＹポジション調整は、まずメインビームＭが内側４分割受光部１０１Ｍの中央に位置するように行われるが、斯かる調整は前記調整用加算器２８から出力される出力信号のレベルが最大になるように光検出器１０の位置を調整することによって行われる。
【００５８】
斯かる調整によって調整用加算器２８から出力される出力信号のレベルが最大になったとき、メインビームＭが内側４分割受光部１０１Ｍの中央に位置していると判定される。次に、斯かる状態からサブビーム用受光部１０ｂまたは１０ｃから得られる信号からＥ＝ＦまたはＧ＝Ｈとなるように光検出器１０をメインビーム用受光部１０Ｍの中心部を中心として回転調整することによって光検出器１０のＸＹポジション調整を完了させることが出来、斯かる状態にて該光検出器１０の接着固定動作が行われる。前述したように本発明によれば光検出器１０のＸＹポジションの調整動作を容易に、且つ正確に行うことが出来る。
【産業上の利用可能性】
【００５９】
本発明は、Ｂｌｕ−ｒａｙ規格の光ディスクＤに記録されている信号の読み出し動作等を行う光ピックアップ装置に実施することが出来るだけでなく、ＤＶＤ規格やＣＤ規格の光ディスクに使用される光ピックアップ装置に応用することも出来る。
【符号の説明】
【００６０】
１        レーザーダイオード
４        ハーフミラー
５        コリメートレンズ
８        対物レンズ
９        アナモフィックレンズ
１０      光検出器
１０Ｍ    メインビーム用受光部
１０１Ｍ  内側４分割受光部
１０２Ｍ  外側４分割受光部
【図１】
2011129194.tif 000003
【図２】
2011129194.tif 000004
【図３】
2011129194.tif 000005
【図４】
2011129194.tif 000006
【図５】
2011129194.tif 000007